【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
歯科インプラント体（１）と、関連付けられたインプラントアナログ（５０）とを備える歯科インプラントシステムであって、
前記歯科インプラント体は長手軸（ＬＩ）に沿って根尖側端部（１０１）から歯冠側端部（１０２）まで延在し、
前記歯科インプラント体は、骨の中への固定及び骨結合のための外面と、
アバットメント部材連結構造を有する歯冠側末端部分（１０５）であって、前記アバットメント部材連結構造は前記歯科インプラント体上の一以上の画定位置にアバットメント部材を取り付けることができるように前記アバットメント部材と協働するための構造である歯冠側末端部分（１０５）と、を有し、
前記アバットメント部材連結構造は、前記歯科インプラント体の全周の周りに延在して使用時に前記アバットメント部材と直接接触するアバットメント部材接触面（１２８）であって、前記歯科インプラント体に対する前記アバットメント部材の軸方向位置を規定する停止部を提供する歯冠側向きアバットメント部材接触面（１２８）を有し、
前記歯冠側末端部分は、半径方向に前記アバットメント部材接触面を越えた位置に配置される歯冠側向き補綴物接触面（１２９）であって、前記歯科インプラント体の全周の周りに延在する連続的な表面である歯冠側向き補綴物接触面（１２９）を更に有し、
前記関連付けられたインプラントアナログ（５０）は長手軸（Ｌ）に沿って根尖側端部（５１）から歯冠側端部（５２）まで延在し、
前記関連付けられたインプラントアナログ（５０）は、歯科模型における非回転的な固定のために前記長手軸に対して垂直な平面において非円形対称断面を有する非回転部（５３）を具備する外面と、
前記インプラントアナログの前記歯冠側端部に配置されるアナログヘッド（５５）と、
を備え、
前記アナログヘッドは、前記インプラントアナログ上の同じ一以上の画定位置にアバットメント部材を取り付けることができるように前記アバットメント部材と協働するためのアバットメント部材連結構造を備え、
前記アバットメント部材連結構造は、使用時に前記アバットメント部材と直接接触するアバットメント部材接触面（５８）であって、前記インプラントアナログに対する前記アバットメント部材の軸方向位置を規定する停止部を提供する歯冠側向きアバットメント部材接触面（５８）を有し、
前記アナログヘッドは、半径方向に前記アバットメント部材接触面を越えた位置に配置される歯冠側向き補綴物接触面（６０）を更に有し、
前記インプラントアナログの前記アバットメント部材接触面は、前記インプラントアナログの前記アバットメント部材接触面が全周の周りで前記歯科インプラント体の前記アバットメント部材接触面の少なくとも一部に合致するように、前記インプラントアナログの全周の周りで前記歯科インプラント体の前記アバットメント部材接触面の少なくとも一部と同じ長手方向断面と長手方向軸に対しての半径方向位置を有し、
前記インプラントアナログの前記歯冠側向き補綴物接触面は、前記インプラントアナログの前記歯冠側向き補綴物接触面が前記歯科インプラント体の前記歯冠側向き補綴物接触面の一以上の部分に合致するように、前記歯科インプラント体の前記歯冠側向き補綴物接触面の一以上の部分と同じ長手方向断面並びに前記歯科インプラント体の前記アバットメント部材接触面及び長手方向軸に対しての位置を有し、
前記インプラントアナログの前記歯冠側向き補綴物接触面は、前記インプラントアナログの外周の周りの離散位置に及び／又は前記インプラントアナログの前記アバットメント部材接触面から離れた少なくとも１つの半径方向位置に配置され、したがって、前記歯科インプラント体の前記歯冠側向き補綴物接触面に比べて、前記インプラントアナログの前記歯冠側向き補綴物接触面は、少なくとも円周方向及び／又は半径方向に不連続である、歯科インプラントシステム。
【請求項２】
前記歯科インプラントシステムは、根尖部（２０ａ）及び歯冠部（２０ｂ）を有するアバットメント部材（２０）を更に備え、少なくとも前記根尖部は、長手軸（ＬＢ）に沿って延在し、
前記根尖部は、前記アバットメント部材を前記歯科インプラント体上及び前記アバットメント部材上の両方で同じ一以上の規定位置に設置することができるように、前記歯科インプラント体（１）及び前記インプラントアナログ（５０）の前記アバットメント部材連結構造と協働する、連結構造部（２２）、を備え、
前記連結構造部は、根尖側向き接触面（２４）であって、前記根尖側向き接触面は、前記アバットメント部材接触面と直接接触して、前記歯科インプラント体及び前記インプラントアナログに対する前記アバットメント部材の軸方向位置を規定するように、前記歯科インプラント体及び前記インプラントアナログの前記アバットメント部材接触面（１２８、５８）に対して相補的であり、前記根尖側向き接触面は、円周方向において連続する、根尖側向き接触面（２４）、を有し、
前記アバットメント部材が前記歯科インプラント体に設置されると、前記アバットメント部材の前記根尖側向き接触面は、前記歯科インプラント体の全周の周りで前記歯科インプラント体の前記アバットメント部材接触面に接触し、前記アバットメント部材は、前記歯冠側向き補綴物接触面が露出したままであるように、前記歯冠側向き補綴物接触面（１２９）の半径方向内側に配置され、
前記アバットメント部材が前記インプラントアナログに設置されると、前記アバットメント部材の前記根尖側向き接触面は、前記インプラントアナログの全周の周りで前記インプラントアナログの前記アバットメント部材接触面に接触し、前記アバットメント部材は、前記インプラントアナログの前記歯冠側向き補綴物接触面が露出したままであるように、前記インプラントアナログの前記歯冠側向き補綴物接触面（６０）の半径方向内側に配置され、前記アバットメント部材は、前記インプラントアナログの前記歯冠側向き補綴物接触面に対して、前記歯科インプラント体上に設置された場合に前記歯科インプラント体の前記歯冠側向き補綴物接触面に対して取る位置と同じ位置を取る、請求項１に記載の歯科インプラントシステム。
【請求項３】
前記歯科インプラント体（１）の前記アバットメント部材接触面（１２８）及び前記インプラントアナログ（５０）の前記アバットメント部材接触面（５８）は、全ての長手方向断面が線形である請求項１または２に記載の歯科インプラントシステム。
【請求項４】
前記歯科インプラント体（１）の前記アバットメント部材接触面（１２８）及び前記インプラントアナログ（５０）の前記アバットメント部材接触面（５８）は、それぞれ前記歯科インプラント体及び前記インプラントアナログの前記長手軸の周りで円形対称である、請求項１、２または３に記載の歯科インプラントシステム。
【請求項５】
前記歯科インプラント体（１）の前記歯冠側向き補綴物接触面（１２９）及び前記インプラントアナログ（５０）の前記歯冠側向き補綴物接触面（６０）は、長手方向断面が線形である、請求項１から４のいずれか１項に記載の歯科インプラントシステム。
【請求項６】
前記歯科インプラント体（１）の前記歯冠側向き補綴物接触面（１２９）及び前記インプラントアナログ（５０）の前記歯冠側向き補綴物接触面（６０）は、それぞれ前記歯科インプラント体及び前記インプラントアナログの前記長手軸の周りで円形対称である、請求項１から５のいずれか１項に記載の歯科インプラントシステム。
【請求項７】
前記インプラントアナログ（５０）の前記歯冠側向き補綴物接触面（６０）は、円周方向に離間した複数の支柱（６１）の歯冠側端部又は前記アバットメント部材接触面（５８）から半径方向に離間した一以上の環状支柱の歯冠側端部によって形成される、請求項１から６のいずれか１項に記載の歯科インプラントシステム。
【請求項８】
前記アナログヘッド（５５）は、前記アバットメント部材接触面（５８）の半径方向外縁部から根尖側に延材する側壁（６３）を備え、前記円周方向に離間した複数の支柱（６１）又は一以上の環状支柱は、前記側壁から半径方向及び軸方向に延材する、請求項７に記載の歯科インプラントシステム。
【請求項９】
前記インプラントアナログ（５０）の前記歯冠側向き補綴物接触面（６０）は、前記歯冠側向き補綴物接触面が少なくとも円周方向において不連続であるように、前記円周方向に離間した複数の支柱（６１）の歯冠側端部によって形成される、請求項７又は８に記載の歯科インプラントシステム。
【請求項１０】
円周方向に離間した各支柱（６１）は、前記インプラントアナログ（５０）の前記歯冠側向き補綴物接触面（６０）の半径方向全長に延在し、各支柱の前記歯冠側端部全体が前記歯冠側向き補綴物接触面を形成する、請求項９に記載の歯科インプラントシステム。
【請求項１１】
円周方向に離間した各支柱（６１）の前記歯冠側端部の幅は、前記インプラントアナログ（２０）と前記アバットメント部材（５０）との間の回転遊びの円弧の幅よりも小さい、請求項２に従属する場合の請求項９又は１０に記載の歯科インプラントシステム。
【請求項１２】
前記インプラントアナログ（５０）の前記アバットメント部材接触面（５８）の半径方向外縁部は、前記歯冠側向き補綴物接触面（６０）の半径方向内縁部にすぐ隣接し、したがって、これらの表面は互いに接触している、請求項９、１０又は１１に記載の歯科インプラントシステム。
【請求項１３】
前記インプラントアナログ（５０）の前記歯冠側向き補綴物接触面（６０）は、前記アナログヘッド（５５）の半径方向最外縁部まで延在する、請求項１から１２のいずれか１項に記載の歯科インプラントシステム。
【請求項１４】
前記歯科インプラント体（１）の前記アバットメント部材連結構造及び前記インプラントアナログ（５０）の前記アバットメント部材連結構造は、非貫通穴（１０６、５６）を有し、前記非貫通穴（１０６、５６）は、前記長手軸（ＬＩ、Ｌ）に沿ってそれぞれ前記歯科インプラント体及び前記インプラントアナログの前記歯冠側端部（１０１、５１）から延在し、前記非貫通穴は、ねじ山付きセクション（１０９、５９）をそれぞれ有する、請求項１から１３のいずれか１項に記載の歯科インプラントシステム。
【請求項１５】
前記歯科インプラント体（１）の前記アバットメント部材連結構造は、非回転手段（１０７）を更に備え、前記非回転手段（１０７）は、前記歯科インプラント体の前記長手軸（ＬＩ）に対して垂直な平面において非円形対称断面を有し、前記インプラントアナログ（５０）の前記アバットメント部材連結構造は、非回転手段（５７）を更に備え、前記非回転手段（５７）は、前記インプラントアナログの前記長手軸（Ｌ）に対して垂直な平面において非円形対称断面を有し、前記インプラントアナログの前記非回転手段は、前記歯科インプラント体の前記非回転手段と同一の断面を有する、請求項１から１４のいずれか１項に記載の歯科インプラント。
【請求項１６】
前記歯科インプラント体（１）の前記アバットメント部材接触面（１２８）と前記歯冠側向き補綴物接触面（１２９）とは、同じ平面に延在し、前記インプラントアナログ（５０）の前記アバットメント部材接触面（５８）と前記歯冠側向き補綴物接触面（６０）とは、同じ平面に延材する、請求項１から１５のいずれか１項に記載の歯科インプラントシステム。
【請求項１７】
前記歯科インプラントシステムは、歯科用の補綴物（７０）を更に備え、前記補綴物（７０）は、前記補綴物を一以上の規定位置において前記アバットメント部材（２０）の前記歯冠部（２０ｂ）に固定するためのアバットメント部材連結構造を有し、前記補綴物は、根尖側向きインプラント接触面を更に備え、前記面は、前記歯科インプラント体（１）の前記歯冠側向き補綴物接触面（１２９）及び前記インプラントアナログ（５０）の歯冠側向き補綴物接触面（６０）に対して相補的であり、したがって、
前記補綴物が前記アバットメント部材連結構造を介して前記アバットメント部材に連結され、前記アバットメント部材が前記歯科インプラント体に設置されると、前記補綴物の接触面は、前記歯科インプラント体の全周の周りで前記歯冠側向き補綴物接触面に接触し、
前記補綴物が前記アバットメント部材連結構造を介して前記アバットメント部材に連結され、前記アバットメント部材が前記インプラントアナログに設置されると、前記歯冠側向き補綴物接触面は前記インプラントアナログの不連続である前記歯冠側向き補綴物接触面の表面全体に接触する、請求項２から請求項７と請求項１３から１６とのうちのいずれか一項に記載の歯科インプラントシステム。
【請求項１８】
請求項１から１７のいずれか１項に記載の歯科インプラントシステムにおいて使用されるインプラントアナログ（５０）であって、前記インプラントアナログは、長手軸（Ｌ）に沿って根尖側端部（５１）から歯冠側端部（５２）まで延在し、前記インプラントアナログは、
非回転部（５３）を備える外面であって、前記非回転部（５３）は、歯科模型において非回転的に固定するために、前記長手軸に対して垂直な平面において非円形対称断面を有する、外面と、
前記インプラントアナログの前記歯冠側端部に配置されるアナログヘッド（５５）と、
を備え、前記アナログヘッドは、
アバットメント部材を前記インプラントアナログに設置することができるように、前記アバットメント部材と協働する、アバットメント部材連結構造、
を備え、前記アバットメント部材連結構造は、歯冠側向きアバットメント部材接触面（５８）を含み、前記歯冠側向きアバットメント部材接触面（５８）は、使用時にアバットメント部材に直接接触し、前記インプラントアナログに対する前記アバットメント部材の軸方向位置を規定する停止部を提供し、前記アバットメント部材接触面は、前記長手軸の周りで円形対称であり、円周方向において連続し、線形の長手方向断面を有し、前記アナログヘッドは、
歯冠側向き補綴物接触面（６０）であって、前記歯冠側向き補綴物接触面は、歯科補綴物（７０）に接触し、前記面は、半径方向に前記アバットメント部材接触面を越えた位置にあり、前記インプラントアナログの前記長手軸の周りで円形対称であり、線形の長手方向断面を有し、前記歯冠側向き補綴物接触面は、円周方向に離間した複数の支柱（６１）の歯冠側端部、又は前記アバットメント部材接触面から半径方向に離間した一以上の環状支柱の歯冠側端部によって形成される、歯冠側向き補綴物接触面（６０）、
を更に備える、インプラントアナログ。
【請求項１９】
インプラントアナログ（５０）とアバットメント部材（２０）との組合体であって、前記インプラントアナログは、長手軸（Ｌ）に沿って根尖側端部（５１）から歯冠側端部（５２）まで延在し、前記インプラントアナログは、
歯科模型における非回転的な固定のために、前記長手軸に対して垂直な平面において非円形対称断面を有する非回転部（５３）を含む外面と、
前記インプラントアナログの前記歯冠側端部に配置されるアナログヘッド（５５）と、
を備え、前記アナログヘッドは、
前記アバットメント部材を前記インプラントアナログに設置することができるように、前記アバットメント部材（２０）と協働するアバットメント部材連結構造であって、前記アバットメント部材連結構造は歯冠側向きアバットメント部材接触面（５８）であって、前記歯冠側向きアバットメント部材接触面（５８）は、使用時に前記アバットメント部材と直接接触し、前記インプラントアナログに対する前記アバットメント部材の軸方向位置を規定する停止部を提供して円周方向に連続している前記歯冠側向きアバットメント部材接触面（５８）を有するアバットメント部材連結構造を備え、
前記アバットメント部材（２０）は、根尖部（２０ａ）及び歯冠部（２０ｂ）を有し、少なくとも前記根尖部は、長手軸（ＬＢ）に沿って延在し、前記根尖部は、前記インプラントアナログの前記アバットメント部材連結構造と協働する連結構造部（２２）を有し、前記連結構造部は、
前記インプラントアナログの前記歯冠側向きアバットメント部材接触面に直接接触する根尖側向き接触面（２４）であって、前記根尖側向き接触面は前記インプラントアナログに対する前記アバットメント部材の軸方向位置を規定し、前記インプラントアナログの前記歯冠側向きアバットメント部材接触面に対して相補的であり、円周方向に連続する根尖側向き接触面（２４）、を有し、
前記インプラントアナログの前記アナログヘッドは、歯科補綴物（７０）に接触する歯冠側向き補綴物接触面（６０）であって、前記歯冠側向き補綴物接触面は半径方向に前記歯冠側向きアバットメント部材接触面を越えた位置にあり、円周方向に離間した複数の支柱（６１）の歯冠側端部又は前記歯冠側向きアバットメント部材接触面から半径方向に離間した一以上の環状支柱の歯冠側端部によって形成される歯冠側向き補綴物接触面（６０）、を更に備え、
前記アバットメント部材が前記インプラントアナログに設置されると、前記アバットメント部材の前記根尖側向き接触面は、前記インプラントアナログの全周の周りで前記インプラントアナログの前記歯冠側向きアバットメント部材接触面に接触し、前記アバットメント部材は、前記歯冠側向き補綴物接触面の半径方向内側に配置され、前記歯冠側向き補綴物接触面と接触しない、前記インプラントアナログと前記アバットメント部材との組合体。